(57)【要約】【課題】トラフィックの増加を招くことなく、記憶されているデータをこのデータを再生させたい通信相手に確実に伝送することができる通信端末、及び、通信制御プログラムを提供することを目的とする。【解決手段】通信端末１００と通信端末２００とは、無線通信Ｓ１により、通信端末２００を呼び出す。通信端末２００は、呼び出しを受けると、データ交換のための接続を開始する。通信端末１００は、ＧＰＳ衛星５００により取得した位置情報に従って、通信端末２００が音楽データをＦＭ送信で送信可能な距離にあると判断される場合、再生中の音楽データを変調してＦＭ電波Ｓ３で送信する。通信端末２００は、ＦＭ電波Ｓ３で送信されてくる音楽信号を受信して再生する。また、通信端末１００と通信端末２００とは、音楽データの再生中、無線通信Ｓ１を介してチャットを行う。【選択図】図１
2008079063.tif 000002
【特許請求の範囲】
【請求項１】
データを記憶する記憶手段と、
この記憶手段に記憶されたデータを再生させる端末を指定する指定手段と、
この指定手段によって指定された端末を、第１の通信システムを用いて呼び出す呼出手段と、
この呼出手段による呼び出しに対する前記指定された端末からの応答に基づいて、当該端末と前記指定された端末とで第２の通信システムを用いた前記データの伝送が可能か否かを判断する判断手段と、
この判断手段により前記データの伝送が可能と判断されると、前記記憶手段からデータを読み出し、前記第１の通信システムによる通信を保持した状態で、前記第２の通信システムを用いて前記指定された端末へ前記データを伝送するよう制御する制御手段と、
を具備することを特徴とする通信端末。
【請求項２】
前記判断手段により前記データの伝送が可能と判断されると、前記第２の通信システムにおける当該端末を特定するための情報を前記第１の通信システムを用いて前記指定された端末へ送信し、前記指定された端末に対し当該端末を特定するための情報に基づいて前記第２の通信システムを用いたデータの受信を行うよう制御する通信制御手段を更に具備することを特徴とする請求項１に記載の通信端末。
【請求項３】
前記呼出手段による呼出に対する前記指定された端末からの応答には前記指定された端末の位置情報が含まれるとともに、当該端末の位置情報を記憶する位置情報記憶手段を更に具備し、
前記判断手段は、前記指定された端末の位置情報と、前記位置情報記憶手段に記憶された当該端末の位置情報とに基づいて、第２の通信システムを用いた前記データの伝送が可能か否かを判断することを特徴とする請求項１又は２に記載の通信端末。
【請求項４】
前記第２の通信システムでの前記指定された端末を特定するための識別情報を記憶する識別情報記憶手段を更に具備し、
前記判断手段は、前記呼出手段による呼出に対する前記指定された端末からの応答に基づいて、前記第２の通信システムを用いた通信が可能な範囲内で、前記識別情報記憶手段に記憶される識別情報が存在するか否かを判断することにより、当該端末と前記指定された端末とで前記データの伝送が可能か否かを判断することを特徴とする請求項１に記載の通信端末。
【請求項５】
前記記憶手段に記憶されたデータを再生する再生手段を更に備え、
前記指定手段は、この再生手段によってデータが再生されている時に、当該データを再生させる端末を指定し、
前記制御手段は、前記再生手段によるデータの再生を維持しながら、前記第２の通信システムを用いて前記指定された端末へ前記データを伝送することを特徴とする請求項１乃至４のいずれかに記載の通信端末。
【請求項６】
前記第１の通信システムは、通信回線上の中継システムを介した通信システムであり、
前記第２の通信システムは、前記指定された端末との直接間通信であることを特徴とする請求項１乃至５のいずれかに記載の通信端末。
【請求項７】
コンピュータを、
予め記憶部に記憶されたデータを再生させる端末を指定する指定手段、
この指定手段によって指定された端末を、第１の通信システムを用いて呼び出す呼出手段、
この呼出手段による呼び出しに対する前記指定された端末からの応答に基づいて、当該端末と前記指定された端末とで第２の通信システムを用いた前記データの伝送が可能か否かを判断する判断手段、
この判断手段により前記データの伝送が可能と判断されると、前記記憶部からデータを読み出し、前記第１の通信システムによる通信を保持した状態で、前記第２の通信システムを用いて前記指定された端末へ前記データを伝送するよう制御する制御手段、
として機能させることを特徴とする通信制御プログラム。
【発明の詳細な説明】
【技術分野】
【０００１】
本発明は、通信端末、及び、通信制御プログラムに関する。
【背景技術】
【０００２】
従来、ＰＣ（パーソナルコンピュータ）において、チャット、ネットワーク上の共有サーバ（共有チャットルームが設置されている）に音楽データを登録しておくことで、音楽を再生させながら、チャットを行う技術が提案されている（例えば、特許文献１参照）。
【０００３】
【特許文献１】特開２００１−１８４２９２号公報
【発明の開示】
【発明が解決しようとする課題】
【０００４】
しかしながら、上記従来技術では、音楽データを共有サーバに蓄積しておき、ＰＣからの要求に応じて蓄積しておいた音楽データを配信する蓄積配信の場合には、ＰＣで音楽データの取得が終了するまで（ストリーム配信であれば常時音楽データをパケットで送るため）、チャットに必要なパケットが圧迫され、トラフィックが増大するという問題があった。
【０００５】
また、携帯電話向けのチャットサービスでは、比較的容量の少ないパケットによるデータ交換であるため、音楽データを送信する場合、メッセージ交換が可能になるまでに、時間を要するという問題があった。
【０００６】
また、上記従来技術では、相手に聴かせたい音楽データを共有サーバにアップロードする必要性があり、手軽に音楽を共有して楽しむことができないという問題があった。
【０００７】
そこで本発明は、トラフィックの増加を招くことなく、記憶されているデータをこのデータを再生させたい通信相手に確実に伝送することができる通信端末、及び、通信制御プログラムを提供することを目的とする。
【課題を解決するための手段】
【０００８】
上記目的達成のため、請求項１記載の発明による通信端末は、データを記憶する記憶手段と、この記憶手段に記憶されたデータを再生させる端末を指定する指定手段と、この指定手段によって指定された端末を、第１の通信システムを用いて呼び出す呼出手段と、この呼出手段による呼び出しに対する前記指定された端末からの応答に基づいて、当該端末と前記指定された端末とで第２の通信システムを用いた前記データの伝送が可能か否かを判断する判断手段と、この判断手段により前記データの伝送が可能と判断されると、前記記憶手段からデータを読み出し、前記第１の通信システムによる通信を保持した状態で、前記第２の通信システムを用いて前記指定された端末へ前記データを伝送するよう制御する制御手段と、を具備することを特徴とする。
【０００９】
また、好ましい態様として、例えば請求項２記載のように、請求項１に記載の通信端末において、前記判断手段により前記データの伝送が可能と判断されると、前記第２の通信システムにおける当該端末を特定するための情報を前記第１の通信システムを用いて前記指定された端末へ送信し、前記指定された端末に対し当該端末を特定するための情報に基づいて前記第２の通信システムを用いたデータの受信を行うよう制御する通信制御手段を更に具備することを特徴とする。
【００１０】
また、好ましい態様として、例えば請求項３記載のように、請求項１又は２に記載の通信端末において、前記呼出手段による呼出に対する前記指定された端末からの応答には前記指定された端末の位置情報が含まれるとともに、当該端末の位置情報を記憶する位置情報記憶手段を更に具備し、前記判断手段は、前記指定された端末の位置情報と、前記位置情報記憶手段に記憶された当該端末の位置情報とに基づいて、第２の通信システムを用いた前記データの伝送が可能か否かを判断することを特徴とする。
【００１１】
また、好ましい態様として、例えば請求項４記載のように、請求項１に記載の通信端末において、前記第２の通信システムでの前記指定された端末を特定するための識別情報を記憶する識別情報記憶手段を更に具備し、前記判断手段は、前記呼出手段による呼出に対する前記指定された端末からの応答に基づいて、前記第２の通信システムを用いた通信が可能な範囲内で、前記識別情報記憶手段に記憶される識別情報が存在するか否かを判断することにより、当該端末と前記指定された端末とで前記データの伝送が可能か否かを判断することを特徴とする。
【００１２】
また、好ましい態様として、例えば請求項５記載のように、請求項１乃至４のいずれかに記載の通信端末において、前記記憶手段に記憶されたデータを再生する再生手段を更に備え、前記指定手段は、この再生手段によってデータが再生されている時に、当該データを再生させる端末を指定し、前記制御手段は、前記再生手段によるデータの再生を維持しながら、前記第２の通信システムを用いて前記指定された端末へ前記データを伝送することを特徴とする。
【００１３】
また、好ましい態様として、例えば請求項６記載のように、請求項１乃至５のいずれかに記載の通信端末において、前記第１の通信システムは、通信回線上の中継システムを介した通信システムであり、前記第２の通信システムは、前記指定された端末との直接間通信であることを特徴とする。
【００１４】
上記目的達成のため、請求項７記載の発明による通信制御プログラムは、コンピュータを、予め記憶部に記憶されたデータを再生させる端末を指定する指定手段、この指定手段によって指定された端末を、第１の通信システムを用いて呼び出す呼出手段、この呼出手段による呼び出しに対する前記指定された端末からの応答に基づいて、当該端末と前記指定された端末とで第２の通信システムを用いた前記データの伝送が可能か否かを判断する判断手段、この判断手段により前記データの伝送が可能と判断されると、前記記憶部からデータを読み出し、前記第１の通信システムによる通信を保持した状態で、前記第２の通信システムを用いて前記指定された端末へ前記データを伝送するよう制御する制御手段として機能させることを特徴とする。
【発明の効果】
【００１５】
この発明によれば、データを再生させる端末を指定すると、この端末を第１の通信システムを用いて呼び出し、この呼び出しに対する応答に基づいて第２の通信システムを用いたデータの伝送が可能か否かを判断して、可能と判断すると、第１の通信システムによる通信を保持した状態で、第２の通信システムを用いて前記データを伝送するので、トラフィックの増加を招くことなく、記憶されているデータをこのデータを再生させたい通信相手に確実に伝送することができるという利点が得られる。
【発明を実施するための最良の形態】
【００１６】
以下、本発明の実施の形態を、図面を参照して説明する。
【００１７】
Ａ．第１実施形態
Ａ−１．第１実施形態の構成
図１は、本発明の第１実施形態による通信システムの構成を示すブロック図である。図において、通信端末１００、２００は、例えば、携帯電話などからなり、無線通信Ｓ１により、音声通話や、文字情報によるチャットを行う際に、ＦＭ電波（ＦＭ周波数帯を使用した通信システム）Ｓ３により、音楽データや動画データを送受信し、再生することが可能となっている。なお、以下の説明では、通信端末１００を発信側の通信端末、通信端末２００を受信側の通信端末とする。
【００１８】
基地局３００は、通信端末１００、２００を無線通信Ｓ１により通信サービスシステム４００に接続する。通信サービスシステム４００は、交換機４０１、ネットワークサーバ４０２および管理サーバ４０３からなる中継システムを備えている。交換機４０１は、基地局３００を介して通信端末１００、２００間の回線接続を制御する。ネットワークサーバ４０２は、パケットデータ交換型（チャット）通信用サーバであり、基地局３００を介して通信端末１００、２００間のパケットデータ交換（チャット）を制御する。管理サーバ４０３は、通信全体を管理する。
【００１９】
ＧＰＳ（Global Positioning
System）衛星５００は、米国国防省が打ち上げた測地衛星（NAVSTAR：現在は２４個が地球を周回している）であり、所定のＧＰＳ電波（1.22760G／1.57542GHz）Ｓ２を発信している。通信端末１００、２００は、ＧＰＳ衛星５００（少なくとも４個程度、それ以下でもよいが精度が低下する）からのＧＰＳ電波Ｓ２を受信し、位置情報（緯度・経度）を取得する。
【００２０】
次に、図２は、上述した通信端末１００、２００の構成を示すブロック図である。図において、無線通信部６００は、アンテナ６０１により、基地局３００と無線通信を行う。ＦＭ無線部６０２は、アンテナ６０３により、相手の通信端末との間で、ＦＭ無線により、音楽データや動画データを送受信する。ＧＰＳ制御部６０４は、上記ＧＰＳ衛星５００のうち、少なくとも４個程度から発信するＧＰＳ電波Ｓ２をＧＰＳアンテナ６０５により受信し、電波の位相（受信タイミングの違い）を計算し、受信者と人工衛星の間で三角測量を行なうことで現在位置の緯度・経度（・高度）情報からなる位置情報を取得する。
【００２１】
表示部６０６は、液晶表示器などからなり、各種データを表示する。操作部６０７は、各種機能キー、テンキーなどからなり、ユーザからの動作指示などを入力する。ＲＯＭ６０８は、各種プログラム、動作パラメータなどを記憶している。ＲＡＭ６０９は、後述する制御部６１４のワーキングエリアとして用いられるとともに、音楽データ、動画データなどのコンテンツデータを記憶する。特に、本実施形態では、ＲＡＭ６０９には、通信相手の氏名と電話番号とからなる電話帳情報が記憶されているとともに、相手通信端末とＦＭ無線により通信する際のＦＭ周波数情報として、周波数もしくはチャネル番号が記憶されている。なお、詳細については後述する。
【００２２】
音声処理部６１０は、制御部６１４の制御の下、音声通話においては、マイク６１１からの音声信号を符号化する一方、音声データを復号化してスピーカ６１２から出力するとともに、コンテンツの音声データを復号化してスピーカ６１３から出力する。
【００２３】
制御部６１４は、ＲＯＭ６０８のプログラムに従って、各部の動作を制御する。特に、本実施形態では、送信側の通信端末１００では、パケットデータ交換型（チャット）通信時に、チャット動作と並行して、音楽データを再生するとともに、相手の通信端末に対して、再生している音楽データを変調してＦＭ無線により送信する。また、受信側の通信端末２００では、チャット動作と並行して、ＦＭ無線により受信した音楽信号を復調して再生するようになっている。
【００２４】
次に、図３（ａ）、（ｂ）は、ＲＡＭ６０９に記憶されているデータ構成を示す概念図である。ＲＡＭ６０９には、図３（ａ）に示すように、特定の受信側の通信端末（複数）について、ユーザの氏名とそのユーザが用いている通信端末の電話番号とからなる電話帳情報６０９１と、図３（ｂ）に示すように、当該通信端末と相手の通信端末との間でコンテンツデータ（本実施形態では音楽データ）を伝送する際に用いる、周波数または送受信チャネルからなるＦＭ周波数情報６０９２とが記憶されている。
【００２５】
Ａ−１．第１実施形態の動作
次に、上述した第１実施形態の動作について説明する。ここで、図４および図５は、本第１実施形態による、発信側の通信端末１００の動作を説明するためのフローチャートである。発信側の通信端末１００では、ユーザにより再生リストの表示操作が行われると、まず、ＲＡＭ６０９に記憶されている音楽データを読み出し（ステップＳ１０）、音楽データの再生操作が検出されたか否かを判断する（ステップＳ１２）。そして、音楽データの再生操作が検出されない場合には、図示しないメインルーチンに戻る。
【００２６】
一方、音楽データの再生操作が検出された場合には、読み出した音楽データを音声処理部６１０により再生し、スピーカ６１３より出力する（ステップＳ１４）。該音楽データの再生を行っている際、サブメニューの選択操作が検出されたか否かを判断し（ステップＳ１６）、サブメニューの選択操作が検出されない場合には、ステップＳ１４に戻り、音楽データの再生を継続する。
【００２７】
一方、音楽データの再生中に、サブメニューの選択操作が検出された場合には、サブメニューを表示部６０９に表示する（ステップＳ１８）。次に、サブメニューからチャットの選択操作が検出されたか否かを判断する（ステップＳ２０）。そして、チャットの選択操作が検出されなかった場合には、他の選択処理へ進む（ステップＳ２２）。
【００２８】
一方、サブメニューからチャットの選択操作が検出された場合には、ＲＡＭ６０９の電話帳情報６０９１に記憶された特定の相手氏名（複数）を読み出して表示部６０６に表示し（ステップＳ２４）、チャットの相手が決定されたか否かを判断する（ステップＳ２６）。チャットの相手は、操作部６０７のカーソルキーにより選択し、決定キーにより確定する。そして、チャットの相手が決定された場合には、相手の電話番号で無線通信回線（パケットデータ通信）を介して受信側の通信端末２００を呼び出す（ステップＳ２８）。次に、相手が出たか否かを判断し（ステップＳ３０）、相手が出なかった場合には、エラーメッセージを表示し（ステップＳ３２）、ステップＳ１４に戻り、音楽データの再生を継続する。
【００２９】
一方、受信側の通信端末２００は、チャットの呼び出しを受けると、自身のＧＰＳ制御部６０４を起動させ、自己位置を取得し、取得した位置情報を発信側の通信端末１００に送信する。なお、受信側の通信端末２００の詳細な動作については後述する。
【００３０】
送信側の通信端末１００では、受信側の通信端末２００から位置情報が送信されてくると、ステップＳ３４での判断がＹＥＳとなり、自身のＧＰＳ制御部６０４を起動させ、自身の位置情報を取得する処理を実行する（ステップＳ３６）。次に、受信側の通信端末２００の位置情報と自身（発信側の通信端末１００）の位置情報とに従って、ＦＭ無線部６０２によりＦＭ送信で音楽データが送信可能であるか否かを判別する（ステップＳ３８）。
【００３１】
そして、受信側の通信端末２００が音楽データの送信可能距離（約半径１０ｍ以内）にあるか否かを判断し（ステップＳ４０）、送信可能距離にある場合には、ＲＡＭ６０９からＦＭ周波数情報６０９２を読み出し（ステップＳ４２）、該ＦＭ周波数情報６０９２と、ＦＭ無線部を起動させて該ＦＭ周波数情報６０９２に周波数を合わせこむよう制御する制御情報（コマンドデータ）とを受信側の通信端末２００にデータ送信する（ステップＳ４４）。次に、ＦＭ無線部６０２を起動し、ＦＭ周波数情報６０９２に従って、再生中の音楽データを変調して送信する（ステップＳ４６）。なお、発信側の通信端末１００では、音楽データをＦＭ無線部６０２で送信している間も、音楽データの再生が継続される。
【００３２】
次に、受信側の通信端末２００との間で文字データを送受信するチャット処理を実行し（ステップＳ５４）、チャットが終了したか否かを判断し（ステップＳ５６）、チャットが終了していなければ、ステップＳ５４に戻り、チャットを継続する。一方、チャットが終了した場合には、当該処理を終了して、所定のメインルーチンに戻る。
【００３３】
また、ステップＳ４０で、受信側の通信端末２００が送信可能距離にないと判断された場合には、再生中の音楽データを所定のブロックに分割し（ステップＳ４８）、データパケットに挿入して（ステップＳ５０）、データチャネルを用いて、受信側の通信端末２００に送信する（ステップＳ５２）。その後、上述したように、ステップＳ５４で、受信側の通信端末２００との間で文字データを送受信するチャット処理を実行する。そして、チャットが終了した場合には、当該処理を終了して、所定のメインルーチンに戻る。
【００３４】
次に、本第１実施形態による受信側の通信端末２００の動作について説明する。ここで、図６は、本第１実施形態による受信側の通信端末２００の動作を説明するためのフローチャートである。受信側の通信端末２００では、待受状態において、チャットの呼び出しがあったか否かを判断しており（ステップＳ６０）、チャットの呼び出しを受けると、データ交換のための接続を開始し（ステップＳ６２）、ＧＰＳ制御部６０４を起動させ、自身の位置情報を取得する処理を実行し（ステップＳ６４）、取得した位置情報を発信側の通信端末１００に送信する（ステップＳ６６）。
【００３５】
次に、送信側の通信端末１００からのＦＭ周波数情報６０９２とＦＭ無線部を起動させて該ＦＭ周波数情報６０９２に周波数を合わせこむよう制御する制御情報とを受信したか否かを判断する（ステップＳ６８）。そして、受信したと判断すると、前記制御情報に基づきＦＭ無線部６０２へ起動指示を行う（ステップＳ７０）。更にＦＭ無線部６０２では、送信側の通信端末１００からのＦＭ周波数情報６０９２と前記制御情報に従って受信チャネルを設定し、該受信チャネルを介して送信されてくる音楽信号を受信して再生する。なお、該ＦＭ無線部６０２の詳細については後述する。
【００３６】
その後、受信側の通信端末２００では、送信側の通信端末１００との間で文字データを送受信するチャット処理を実行し（ステップＳ８２）、チャットが終了したか否かを判断し（ステップＳ８４）、チャットが終了していなければ、ステップＳ８２に戻り、チャットを継続する。なお、ＦＭ無線部６０２は、上記チャット処理とは独立して動作しているので、チャット中であっても、音楽データの再生が行われることになる。一方、チャットが終了した場合には、当該処理を終了して、所定のメインルーチンに戻る。
【００３７】
一方、送信側の通信端末１００からＦＭ周波数情報６０９２を受信しなかった場合には、データパケットに音楽データが挿入されているか否かを判断する（ステップＳ７２）。そして、データパケットに音楽データが挿入されていない場合には、音楽データを再生することなく、ステップＳ８２のチャット処理以降へ進む。
【００３８】
一方、データパケットに音楽データが挿入されている場合には、分割された音楽データを順次受信し（ステップＳ７４）、分割された音楽データを結合し（ステップＳ７６）、結合した音楽データをデコードし（ステップＳ７８）、再生する（ステップＳ８０）。その後、上述したように、ステップＳ８２で、送信側の通信端末１００との間で文字データを送受信するチャット処理を実行する。この場合も、受信側の通信端末２００では、チャット中に音楽データが再生されることになる。そして、チャットが終了した場合には、当該処理を終了して、所定のメインルーチンに戻る。
【００３９】
次に、上述した受信側の通信端末２００におけるＦＭ無線部６０２の動作について説明する。図７は、本第１実施形態による受信側の通信端末２００におけるＦＭ無線部の動作を説明するためのフローチャートである。ＦＭ無線部６０２は、前記制御情報を受信することにより起動させられると、まず、ＦＭ周波数情報６０９２に従って、受信チャネルを設定し（ステップＳ９０）、該受信チャネルを用いて、送信側の通信端末１００から送信される音楽信号を受信し（ステップＳ９２）、受信した音楽信号を復調し（ステップＳ９４）、復調された音楽信号を再生すべく、音声処理部６１０に出力する（ステップＳ９６）。そして、再生の終了指示を検出したか否かを判断し（ステップＳ９８）、終了指示を検出しなかった場合には、ステップＳ９２に戻り、音楽信号の受信、復調、再生出力を継続し、終了指示を検出した場合には、当該処理を終了する。
【００４０】
上述した第１実施形態によれば、無線通信システムによる音声通話やチャットなどの文字の伝送を維持しながら、無線通信システムとは別のＦＭ周波数帯を使用した通信システムを用いて、音楽データや動画データなどのコンテンツデータを伝送するので、無線通信のトラフィックの増加を招くことなく音声通話や文字の伝送を行いながら確実にコンテンツデータの再生を楽しむことができる。
【００４１】
また、第１実施形態によれば、発信側の通信端末は、ＦＭ周波数帯を使用した通信システムで音楽データや動画データを伝送する場合、自身の通信端末に記憶された周波数情報とともに受信側の通信端末のＦＭ無線部を起動させてこの周波数情報に周波数を合わせこむよう制御する制御情報を送信するようにしたので、受信側の通信端末はＦＭ無線部を起動させる操作を行うことなく伝送されたコンテンツデータを再生することができる。
【００４２】
さらに第１の実施形態によれば、無線通信により呼び出した受信側の通信端末の位置情報を受信し、この受信された位置情報と発信側の通信端末の位置情報とからＦＭ周波数帯を使用した通信システムでの伝送が可能な距離か否かを判断するので、確実にコンテンツデータの伝送が可能となる。
【００４３】
さらにまた第１の実施形態によれば、発信側の通信端末では、コンテンツデータの再生しているときに受信側の通信端末を指定することができるので、音声通話や文字の伝送を行う前に事前に伝送すべきデータの選択等を行う手間を省くことができる。
【００４４】
また第１の実施形態によれば、コンテンツデータの伝送は、基地局、サーバを経由したシステムとは異なる直接間通信で行うため、伝送にかかる費用を抑えることができる。
【００４５】
Ｂ．第２実施形態
Ｂ−１．第２実施形態の構成
次に、本発明の第２実施形態について説明する。
図８は、本第２実施形態による通信システムの構成を示すブロック図である。なお、図１に対応する部分には同一の符号を付けて説明を省略する。本第２実施形態では、上述した第１実施形態で用いたＦＭ電波に代えて、Ｂｌｕｅｔｏｏｔｈ（商標）通信（２．４ＧＨｚ周波数帯を使用する通信システム）Ｓ４を用いて音楽データを送信することを特徴としている。
【００４６】
次に、図９は、本第２実施形態による通信端末１００、２００の構成を示すブロック図である。なお、図２に対応する部分には同一の符号を付けて説明を省略する。図において、Ｂｌｕｅｔｏｏｔｈ制御部６２０は、Ｂｌｕｅｔｏｏｔｈ規格に準じて、他の通信端末の認識、データ送受信を行う。また、ＲＡＭ６０９には、図１０に示すように、特定の受信側の通信端末（複数）について、ユーザの氏名と、そのユーザが用いている通信端末の電話番号と、Ｂｌｕｅｔｏｏｔｈにおいて端末を識別するための識別情報と、オーディオプロファイルに接続可能であるか否かを示すフラグとからなる接続情報６０９３が記憶されている。
【００４７】
Ｂ−２．第２実施形態の動作
次に、本第２実施形態の動作について説明する。
図１１は、本第２実施形態による発信側の通信端末１００の動作を説明するためのフローチャートである。なお、上述した第１実施形態において説明した、図４に示すステップＳ１０〜Ｓ３２の処理については同じである。すなわち、図４に示すステップＳ１０〜Ｓ３２において、送信側の通信端末１００において、音楽データの再生が開始された後、チャットの相手が決定され、相手の電話番号で無線通信回線（パケットデータ通信）を介して受信側の通信端末２００を呼び出し（音声通話呼び出しではなく、データ交換呼び出し）、相手が出ると、図１１に示すフローチャートへ進む。
【００４８】
送信側の通信端末１００では、Ｂｌｕｅｔｏｏｔｈ制御部６２０をマスタとして起動し（ステップＳ１００）、近傍に存在する、受信側の通信端末２００の識別情報を検索する（ステップＳ１０２）。そして、識別情報が検出されたか否かを判断し（ステップＳ１０４）、受信側の通信端末２００からの識別情報が検出された場合には、該識別情報の通信端末２００がオーディオプロファイルをサポートしているか否かを判断する（ステップＳ１０６）。
【００４９】
そして、上記通信端末２００がオーディオプロファイルをサポートしている場合には、該当受信側の通信端末２００とリンクを確立し、再生している音楽データをリアルタイムで符号化してＢｌｕｅｔｏｏｔｈ制御部６２０に出力する（ステップＳ１０８）。Ｂｌｕｅｔｏｏｔｈ制御部６２０では、符号化された音楽データを受信側の通信端末２００に送信する。
【００５０】
次に、受信側の通信端末２００との間で文字データをやり取りするチャット処理を実行し（ステップＳ５４）、チャットが終了したか否かを判断し（ステップＳ１１６）、チャットが終了していなければ、ステップＳ１１６に戻り、チャットを継続する。一方、チャットが終了した場合には、当該処理を終了して、所定のメインルーチンに戻る。
【００５１】
一方、受信側の通信端末２００がオーディオプロファイルをサポートしていない場合には、再生中の音楽データを所定のブロックに分割し（ステップＳ１１０）、データパケットに挿入して（ステップＳ１１２）、無線通信部６００によるデータチャネルを用いて、受信側の通信端末２００に送信する（ステップＳ１１４）。その後、上述したように、ステップＳ１１６で、受信側の通信端末２００との間で文字データをやり取りするチャット処理を実行する。そして、チャットが終了した場合には、当該処理を終了して、所定のメインルーチンに戻る。
【００５２】
次に、本第２実施形態による受信側の通信端末２００の動作について説明する。ここで、図１２は、本第２実施形態による受信側の通信端末２００の動作を説明するためのフローチャートである。受信側の通信端末２００では、待受状態において、チャットの呼び出しがあったか否かを判断しており（ステップＳ１３０）、チャットの呼び出しを受けると、データ交換のための接続を開始し（ステップＳ１３２）、Ｂｌｕｅｔｏｏｔｈ制御部６２０をスレーブとして起動し（ステップＳ１３４）、自身の識別情報を発信側の通信端末１００に送信する（ステップＳ１３６）。
【００５３】
次に、送信側の通信端末１００からのＢｌｕｅｔｏｏｔｈ通信Ｓ４を介して音楽データを受信したか否かを判断する（ステップＳ１３８）。そして、音楽データを受信すると、音声処理部６１０により、音楽データをデコードし（ステップＳ１４０）、デコードした音楽データを再生する（ステップＳ１４２）。その後、受信側の通信端末２００では、送信側の通信端末１００との間で文字データを送受信するチャット処理を実行し（ステップＳ１５６）、チャットが終了したか否かを判断し（ステップＳ１５８）、チャットが終了していなければ、ステップＳ１５６に戻り、チャットを継続する。したがって、チャット中であっても、音楽データの再生が行われることになる。一方、チャットが終了した場合には、当該処理を終了して、所定のメインルーチンに戻る。
【００５４】
一方、送信側の通信端末１００から音楽データを受信しなかった場合には、データパケットに音楽データが挿入されているか否かを判断する（ステップＳ１４４）。そして、データパケットに音楽データが挿入されていない場合には、音楽データを再生することなく、ステップＳ１５６のチャット処理以降へ進む。
【００５５】
一方、データパケットに音楽データが挿入されている場合には、分割された音楽データを受信し（ステップＳ１４６）、音楽データの受信が終わりになったか否かを判断し（ステップＳ１４８）、音楽データの受信が終わりでない場合には、ステップＳ１４６に戻り、音楽データの受信を継続する。一方、音楽データの受信が終わった場合には、分割された音楽データを結合し（ステップＳ１５０）、音声処理部６１０により、結合した音楽データをデコードし（ステップＳ１５２）、再生する（ステップＳ１５４）。その後、上述したように、ステップＳ１５６で、送信側の通信端末１００との間で文字データをやり取りするチャット処理を実行する。この場合も、受信側の通信端末２００では、チャット中に音楽データが再生されることになる。そして、チャットが終了した場合には、当該処理を終了して、所定のメインルーチンに戻る。
【００５６】
上述した第２実施形態によれば、Ｂｌｕｅｔｏｏｔｈのようなリンクの確立を事前に要求するような通信システムであっても、コンテンツデータの送信の前に送信通信可能圏内に受信側の通信端末が存在するか否かが分かる。
【図面の簡単な説明】
【００５７】
【図１】本発明の第１実施形態による通信システムの構成を示すブロック図である。
【図２】本第１実施形態による通信端末１００、２００の構成を示すブロック図である。
【図３】ＲＡＭ６０９に記憶されているデータ構成（電話帳情報６０９１、ＦＭ周波数情報６０９２）を示す概念図である。
【図４】本第１実施形態による、発信側の通信端末１００の動作を説明するためのフローチャートである。
【図５】本第１実施形態による、発信側の通信端末１００の動作を説明するためのフローチャートである。
【図６】本第１実施形態による受信側の通信端末２００の動作を説明するためのフローチャートである。
【図７】本第１実施形態による受信側の通信端末２００におけるＦＭ無線部の動作を説明するためのフローチャートである。
【図８】本発明の第２実施形態による通信システムの構成を示すブロック図である。
【図９】本第２実施形態による通信端末１００、２００の構成を示すブロック図である。
【図１０】ＲＡＭ６０９に記憶されているデータ構成（接続情報６０９３）を示す概念図である。
【図１１】本第２実施形態による発信側の通信端末１００の動作を説明するためのフローチャートである。
【図１２】本第２実施形態による受信側の通信端末２００の動作を説明するためのフローチャートである。
【符号の説明】
【００５８】
１００、２００  通信端末
３００  基地局
４００  通信サービスシステム
４０１  交換機
４０２  ネットワークサーバ
４０３  管理サーバ
６００  無線通信部
６０１  アンテナ
６０２  ＦＭ無線部
６０３  アンテナ
６０４  ＧＰＳ制御部
６０５  ＧＰＳアンテナ
６０６  表示部
６０７  操作部
６０８  ＲＯＭ
６０９  ＲＡＭ
６０９１  電話帳情報
６０９２  ＦＭ周波数情報
６１０  音声処理部
６１１  マイク
６１２  スピーカ
６１３  スピーカ
６１４  制御部
６２０  Ｂｌｕｅｔｏｏｔｈ制御部
６２１  アンテナ
６０９３  接続情報
Ｓ１  無線通信
Ｓ２  ＧＰＳ電波
Ｓ３  ＦＭ電波  
Ｓ４  Ｂｌｕｅｔｏｏｔｈ通信
【図１】
2008079063.tif 000003
【図２】
2008079063.tif 000004
【図３】
2008079063.tif 000005
【図４】
2008079063.tif 000006
【図５】
2008079063.tif 000007
【図６】
2008079063.tif 000008
【図７】
2008079063.tif 000009
【図８】
2008079063.tif 000010
【図９】
2008079063.tif 000011
【図１０】
2008079063.tif 000012
【図１１】
2008079063.tif 000013
【図１２】
2008079063.tif 000014